(57)【要約】【課題】  印刷装置で出力された印刷物の記録媒体上における画像の印字位置を検出し、その検出結果に基づいて後処理工程用の設定値を自動的に調整することであり、検品処理の高速化及び精度の向上を図る。【解決手段】  印刷装置であって、外部装置から印刷データを入力する入力手段、入力手段入力された印刷データを解析する解析手段、解析手段で解析した結果をもとにビットマップ画像データを生成する展開手段、解析手段で解析された結果をもとに後処理工程の設定を保持する保持手段、展開手段で展開された画像データを記録媒体に印字する画像形成手段、画像形成手段で記録媒体に印字された画像データを読み取る読み取り手段、読み取り手段で読み取った画像データから記録媒体上の画像印字位置を検出する検出手段、とを備え、検出手段で検出した結果から、保持手段で保持されている後処理工程の設定を調整することを特徴とする。【選択図】  図１３
2008052115.tif 000002
【特許請求の範囲】
【請求項１】
印刷装置であって、
外部装置から印刷データを入力する入力手段、
前記入力手段入力された印刷データを解析する解析手段、
前記解析手段で解析した結果をもとにビットマップ画像データを生成する展開手段、
前記解析手段で解析された結果をもとに後処理工程の設定を保持する保持手段、
前記展開手段で展開された画像データを記録媒体に印字する画像形成手段、
前記画像形成手段で記録媒体に印字された画像データを読み取る読み取り手段、
前記読み取り手段で読み取った画像データから記録媒体上の画像印字位置を検出する検出手段、
とを備え、前記検出手段で検出した結果から、前記保持手段で保持されている後処理工程の設定を調整することを特徴とする印刷装置。
【請求項２】
前記印刷装置において、さらに、前記展開手段で展開した画像データと前記読み取り手段で読み取った画像データを比較する比較手段を備え、前記比較手段を利用して前記検出手段が記録媒体上の画像印字位置を検出することを特徴とする請求項１記載の印刷装置。
【請求項３】
前記印刷装置において、さらに、前記画像形成手段で記録媒体上に画像データを印字する際に、記録媒体上に画像の基準位置となる印を印字する基準位置印字手段を備え、前記読み取り手段で読み取った前記基準位置を利用して前記検出手段が記録媒体上の画像印字位置を検出することを特徴とする請求項１記載の印刷装置。
【請求項４】
前記印刷装置において、前記検出手段で検出した結果、予め定められた範囲を超える位置に画像が印字されていると判断された場合は、印刷を続行するかどうかを任意に選択可能なことを特徴とする請求項１記載の印刷装置。
【請求項５】
前記印刷装置において、さらに、前記保持手段で保持している後処理工程の設定値を外部装置へ送信する送信手段を備え、前記検出手段で検出した画像印字位置情報を前記送信手段で外部装置へ送信することを特徴とする請求項１記載の印刷装置。
【請求項６】
前記印刷装置において、さらに、前記保持手段で保持している後処理工程の設定値を外部装置へ送信する送信手段を備え、前記検出手段で検出した結果に基づいて調整された前記保持手段で保持されている後処理工程の設定値を前記送信手段で外部装置へ送信することを特徴とする請求項１記載の印刷装置。
【請求項７】
記印刷装置において、印刷を続行するかどうかを判断するための基準となる値を予め任意に設定可能なことを特徴とする請求項４記載の印刷装置。
【発明の詳細な説明】
【技術分野】
【０００１】
本発明は、印刷装置及びその印刷実行方法、並びに印刷実行のプログラムに関し、特に印刷された成果物が正しいものであるかを検品するシステムに関する。
【背景技術】
【０００２】
従来、第三者（顧客、クライアント）から印刷物（雑誌、新聞、カタログ、広告、グラビア等）の作成依頼を受注し、該クライアントの所望の印刷物を作成し、それを該クライアントに納品することでクライアントから報酬を得る、所謂、商業的印刷業界では、現在でも、オフセット製版印刷機などの大規模な印刷装置等を用いているのが主流である。該印刷業界では、入稿、デザインやレイアウト、カンプ（プリンタ出力によるプレゼンテーション）、校正（レイアウト修正や色修正）、校正刷り（プルーフプリント）、版下作成、印刷、後処理加工、発送といった具合に様々な工程を踏んで作業を進めてきた。これは、上述のような印刷機の利用には版下作成を欠かすことができず、一度版下を作成すると、その修正は容易でなく、且つコスト的にかなり不利であるため、入念な校正、即ちレイアウトのチェックや色の確認作業が必須であったためである事等に起因する。このように、この手の業界では、大掛かりな装置を必要とし、尚且つ、クライアントが所望する印刷物を作成するのにある程度の時間も必要であった。しかもこれらそれぞれの作業には専門知識が必要であり、いわば職人と呼ばれる熟練者のノウハウが必要であった。
【０００３】
一方で、最近、電子写真方式の印刷装置やインクジェット方式の印刷装置の高速化、高画質化に伴い、上記のような印刷業界に対抗して、プリント・オン・ディマンド（Ｐｒｉｎｔ On  Ｄｅｍａｎｄ：以下、ＰＯＤと表記する。）と呼ばれる、印刷装置で扱うジョブより比較的小ロットのジョブを、大掛かりな装置、システムを用いずに、短納期で取り扱えることを目指して、上記のような大規模な印刷機、印刷手法に変わって、例えば、ディジタル複写機やディジタル複合機等のディジタル画像形成装置を最大限に活用して、電子データを用いたディジタルプリントを実現して、それで商売を行うとする市場も出現しつつある。このようなＰＯＤ市場では、従来の印刷業界に比べてディジタル化が融合し、コンピュータを利用した管理、制御が浸透してきており、コンピュータを利用してある程度、印刷業界のレベルに近づこうとしている。このような背景の中で、ＰＯＤ市場には、コピー・プリントショップ印刷会社の印刷サービスと言われるＰＦＰ（Ｐｒｉｎｔ  Ｆｏｒ  Ｐａｙ）や、企業内社内向け印刷サービスと言われるＣＲＤ（Ｃｅｎｔｒａｌｉｚｅｄ  Ｒｅｐｒｏｄｕｃｔｉｏｎ  Ｄｅｐａｒｔｍｅｎｔ）などが存在する。
【０００４】
従来例としては、例えば、トリミングを行うことを前提とした場合と製本された記録用シート束をそのまま使用する場合のどちらにおいても、最終的にインデックスの幅が、製本された記録用シート束内において均一となり、中折り製本された記録用シート束におけるインデックスの仕上がり性を向上させることが可能な画像形成装置を提供するものがある（特許文献１参照）。
【特許文献１】特開2004-243639号公報
【発明の開示】
【発明が解決しようとする課題】
【０００５】
しかしながら、上記のような印刷業界やＰＯＤ市場において、顧客に納品するための印刷物に不具合がないかどうかの検品作業は自動化されておらず、出力物を作業員が手作業でチェックしているのが現状である。数百ページに及ぶ印刷物の場合、ページ毎に詳細にチェックすることは膨大な時間と労力が必要となるため、実際には大まかな検品作業となり、細かい印字ミスや抜け、紙汚れなどは検出されない場合があるといった問題が残っている。
【０００６】
特に、断裁処理やステイプルなどの後処理工程を含む印刷物の場合、印刷装置での記録媒体上の画像の印字位置にずれが生じている場合があるため、出力物を入念にチェックし、後処理工程にかける前に実際の出力物を測定し、その測定値に基づいて手動で後処理工程の装置の設定を行っているのが現状である。これらの作業効率を上げるため、フィニッシングの後処理工程を半自動化するシステムも提供されている。しかしながら、後処理工程の装置へ後処理用の設定値をネットワーク等を通じて自動的に設定し、印刷された印刷物を後処理工程の装置へセットしてボタンを押せば実行されるといったオンライン（またはニアライン）フィニッシャを使用した場合、印字位置のずれによって後処理工程を行った際に画像が切られてしまったり、最終的な成果物において画像が見えにくい位置になってしまうといった問題がある。
【０００７】
本発明の目的は、印刷装置で出力された印刷物の記録媒体上における画像の印字位置を検出し、その検出結果に基づいて後処理工程用の設定値を自動的に調整することであり、検品処理の高速化及び精度の向上を図ることを特徴とする印刷装置、及び印刷実行方法、ならびに印刷を実行するプログラムを提供することにある。
【課題を解決するための手段】
【０００８】
上記目的を達成するために、請求項１記載の印刷装置は、印刷装置であって、外部装置から印刷データを入力する入力手段、前記入力手段入力された印刷データを解析する解析手段、前記解析手段で解析した結果をもとにビットマップ画像データを生成する展開手段、前記解析手段で解析された結果をもとに後処理工程の設定を保持する保持手段、前記展開手段で展開された画像データを記録媒体に印字する画像形成手段、前記画像形成手段で記録媒体に印字された画像データを読み取る読み取り手段、前記読み取り手段で読み取った画像データから記録媒体上の画像印字位置を検出する検出手段、
とを備え、前記検出手段で検出した結果から、前記保持手段で保持されている後処理工程の設定を調整することを特徴とする印刷装置。
【０００９】
請求項２記載の印刷装置にであって、前記展開手段で展開した画像データと前記読み取り手段で読み取った画像データを比較する比較手段を備え、前記比較手段を利用して前記検出手段が記録媒体上の画像印字位置を検出することを特徴とする請求項１記載の印刷装置。
【００１０】
請求項３記載の印刷装置であって、前記画像形成手段で記録媒体上に画像データを印字する際に、記録媒体上に画像の基準位置となる印を印字する基準位置印字手段を備え、前記読み取り手段で読み取った前記基準位置を利用して前記検出手段が記録媒体上の画像印字位置を検出することを特徴とする請求項１記載の印刷装置。
【００１１】
請求項４記載の印刷装置であって、前記検出手段で検出した結果、予め定められた範囲を超える位置に画像が印字されていると判断された場合は、印刷を続行するかどうかを任意に選択可能なことを特徴とする請求項１記載の印刷装置。
【００１２】
請求項５記載の印刷装置であって、前記保持手段で保持している後処理工程の設定値を外部装置へ送信する送信手段を備え、前記検出手段で検出した画像印字位置情報を前記送信手段で外部装置へ送信することを特徴とする請求項１記載の印刷装置。
【００１３】
請求項６記載の印刷装置であって、前記保持手段で保持している後処理工程の設定値を外部装置へ送信する送信手段を備え、前記検出手段で検出した結果に基づいて調整された前記保持手段で保持されている後処理工程の設定値を前記送信手段で外部装置へ送信することを特徴とする請求項１記載の印刷装置。
【００１４】
請求項７記載の印刷装置であって、印刷を続行するかどうかを判断するための基準となる値を予め任意に設定可能なことを特徴とする請求項４記載の印刷装置。
【発明の効果】
【００１５】
印刷ジョブに断裁処理等の後処理工程が設定されている場合で、印刷装置の用紙搬送の機械的な精度の誤差により、記録媒体上の印字位置がずれてしまう場合に、ズレ量を検出し、ページ毎のズレ量が予め規定した最大値を超えた場合、また、全ページのズレ量の平均値が規定値を超えた場合に警告のメッセージを出すことによって、印刷を中断することが可能となり、後処理工程を調整することが可能となる。
【発明を実施するための最良の形態】
【００１６】
以下、本発明の実施の形態を図面を用いて詳述する。
【００１７】
図１のＭＦＰの詳細ブロック図を用いてＭＦＰ（Ｍｕｌｔｉ  Ｆｕｎｃｔｉｏｎ  Ｐｅｒｉｐｈｅｒａｌ：マルチファンクション周辺機器）の構成について説明する。
【００１８】
ＭＦＰは、自装置内部に複数のジョブのデータを記憶可能なハードディスク等のメモリを具備し、スキャナから出力されたジョブデータに対し該メモリを介してプリンタ部でプリント可能にするコピー機能や、コンピュータ等の外部装置から出力されたジョブデータに対し該メモリを介してプリント部でプリント可能にするプリント機能等の複数の機能を具備した画像形成装置である。
【００１９】
ＭＦＰには、フルカラー機器とモノクロ機器があり、色処理や内部データなどを除いて、基本的な部分において、フルカラー機器がモノクロ機器の構成を包含することが多いため、ここではフルカラー機器を主に説明し、必要に応じて随時モノクロ機器の説明を加えることとする。
【００２０】
又、本システムの構成に関し、上記の如く、複数の機能を具備した複合機能型の画像形成装置を有すると共に、プリント機能のみを具備した単一機能型の画像形成装置等のＳＦＰ（Ｓｉｎｇｌｅ  Ｆｕｎｃｔｉｏｎ  Ｐｅｒｉｐｈｅｒａｌ：単一機能周辺機器）を具備する構成でも良いし、いずれか一方のタイプの画像形成装置のみを具備する構成でも良い。又、何れのタイプの画像形成装置であっても、複数台具備する構成でも良い。いずれにしても、本形態の制御が実現可能な構成であればよい。
【００２１】
図１のＭＦＰの詳細ブロック図に示すように、紙原稿などの画像を読み取り、読み取られた画像データを画像処理する入力画像処理部１０１と、ファクシミリなどに代表される電話回線を利用した画像の送受信を行うＦＡＸ部１０２と、ネットワークを利用して画像データや装置情報をやりとりするＮＩＣ（Ｎｅｔｗｏｒｋ  Ｉｎｔｅｒｆａｃｅ  Ｃａｒｄ）部１０３と、外部装置と画像データなどの情報交換を行う専用インターフェース部１０４、あるいは、ＵＳＢ（Ｕｎｉｖｅｒｓａｌ  Ｓｅｒｉａｌ  Ｂｕｓ）メモリ（リムーバブルメディアの一種）に代表されるＵＳＢ機器と画像データなどを送受するＵＳＢインターフェース（ＵＳＢ  Ｉ／Ｆ）部１０５とを備えている。
【００２２】
そして、ＭＦＰ制御部１０６では、ＭＦＰの用途に応じて画像データを一時保存したり、経路を決定したりといった交通整理の役割を担っている。
【００２３】
次に、文書管理部１１１は、複数の画像データを格納可能なハードディスク等のメモリを具備し、例えば、画像形成装置が具備する制御部（例えばＭＦＰ制御部１０６のＣＰＵなど）が主体となって、入力画像処理部１０１からの画像データや、ＦＡＸ部１０２を介して入力されたファクシミリジョブの画像データや、ＮＩＣ部１０３を介して入力されたコンピュータ等の外部装置からの画像データや、専用Ｉ／Ｆ部１０４やＵＳＢ  Ｉ／Ｆ部１０５を介して入力された様々な画像データ等の複数種類の画像データを、該ハードディスクに複数格納可能に制御して、該ハードディスクに格納された画像データを適宜読み出して、プリンタ部１１３等の出力部に転送して、該プリンタ部１１３によるプリント処理等の出力処理を実行可能に制御する。又、オペレータからの指示により、ハードディスクから読み出した画像データを、コンピュータや他の画像形成装置等の外部装置に転送可能に制御する。
【００２４】
画像データを文書管理部１１１に記憶する際には、必要に応じて、画像データを圧縮して格納したり、逆に圧縮して格納された画像データを読み出す際に元の画像データに伸張して戻したりするなどの処理に対して圧縮伸張部１１０を介して行っている。また、データがネットワークを経由する際には、ＪＰＥＧ、ＪＢＩＧ、ＺＩＰなど圧縮データを使用することも一般知られており、データがＭＦＰに入った後、この圧縮伸張部１１０にて解凍（伸張）される。
【００２５】
また、リソース管理部１１２は、フォント、カラープロファイル、ガンマテーブルなど共通に扱われる各種パラメータテーブルなどが格納されており、必要に応じて呼び出すことができると共に、新しいパラメータテーブルを格納したり、修正して更新したりすることができる。
【００２６】
次に、ＭＦＰ制御部１０６では、ＰＤＬデータが入力された場合には、ＲＩＰ部１０８でＲＩＰ（Ｒａｓｔｅｒ  Ｉｍａｇｅ  Ｐｒｏｃｅｓｓｏｒ）処理を施したり、プリントする画像に対して、必要に応じて出力画像処理部１０９でプリントのための画像処理を行ったりする。更に、その際に作られる画像データの中間データやプリントレディデータ（プリントのためのビットマップデータやそれを圧縮したデータ）を必要に応じて、文書管理部１１１で再度格納することもできる。
【００２７】
そして、画像形成を行うプリンタ部１１３に送られる。プリンタ部１１３でプリントアウトされたシートは後処理部１１４へ送り込まれ、シートの仕分け処理やシートの仕上げ処理が行われる。
【００２８】
ここで、ＭＦＰ制御部１０６は円滑にジョブを流す役割を担っており、ＭＦＰの使い方に応じて、以下のようにパス切り替えが行われている。但し、中間データとして画像データを必要に応じて格納することは一般に知られているが、ここでは文書管理部１１１が始点、終点になる以外のアクセスは表記しない。また、必要に応じて利用される圧縮伸張部１１０と後処理部１１４、あるいは、全体のコアとなるＭＦＰ制御部１０６などの処理は省略して、おおよそのフローがわかるように記載する。
【００２９】
複写機能                ：入力画像処理部→出力画像処理部→プリンタ部
ＦＡＸ送信機能          ：入力画像処理部→ＦＡＸ部
ＦＡＸ受信機能          ：ＦＡＸ部→出力画像処理部→プリンタ部
ネットワークスキャン    ：入力画像処理部→ＮＩＣ部
ネットワークプリント    ：ＮＩＣ部→ＲＩＰ部→出力画像処理部→プリンタ部
外部装置へのスキャン    ：入力画像処理部→専用Ｉ／Ｆ部
外部装置からのプリント  ：専用Ｉ／Ｆ部→出力画像処理部→プリンタ部
外部メモリへのスキャン  ：入力画像処理部→ＵＳＢ  Ｉ／Ｆ部
外部メモリからのプリント：ＵＳＢ  Ｉ／Ｆ部→ＲＩＰ部→出力画像処理部→プリンタ部
ボックススキャン機能    ：入力画像処理部→出力画像処理部→文書管理部
ボックスプリント機能    ：文書管理部→プリンタ部
ボックス受信機能        ：ＮＩＣ部→ＲＩＰ部→出力画像処理部→文書管理部
ボックス送信機能        ：文書管理部→ＮＩＣ部
プレビュー機能          ：文書管理部→操作部
上記以外にも、Ｅ−ｍａｉｌサービスやＷｅｂサーバ機能を初めとして、様々な機能との組み合わせが考えられるが、ここでは割愛する。
【００３０】
また、ボックススキャン、ボックスプリント、ボックス受信、あるいは、ボックス送信とは、文書管理部１１１を利用したデータの書き込みや読み出しを伴うＭＦＰの処理機能であり、ジョブ毎やユーザ毎に文書管理部１１１内のメモリを分割して一次的にデータを保存して、ユーザIDやパスワードを組み合わせてデータの入出力を行う機能である。更に、操作部１０７は、上記の様々なフローや機能を選択したり操作指示したりするためのものであるが、操作部１０７の表示装置の高解像度化に伴い、文書管理部１１１にある画像データをプレビューし、確認後ＯＫならばプリントするといったこともできる。
【００３１】
次に、図２のＭＦＰ制御部のブロック図を用いてＭＦＰ制御部１０６について説明する。
【００３２】
同図は、大きく分けて４つの部分から成っている。すなわち、入力デバイスを管理する入力デバイス管理部２０１、入力されたジョブを解釈する入力ジョブ制御部２０２、ジョブの設定情報を整理する出力ジョブ制御部２０３、そして、出力デバイスを割り当てる出力デバイス管理部２０４である。
【００３３】
入力デバイス管理部２０１は、ＭＦＰのブロック図における各入力部からの入力信号を整理したり、切り替えの順序を決定したりする役割を果たす。ここには、入力デバイス制御部が存在し、各インターフェースを介して送られてくる入力信号としては、紙原稿のスキャン画像信号やネットワークからのＰＤＬデータといったＭＦＰの外部から入力された信号だけでなく、文書管理部１１１に保管してあった画像データの再プリントやＲＩＰ部１０８、出力画像処理部１０９との連携といったＭＦＰ内部で処理された信号なども含まれる。
【００３４】
次に、入力ジョブ制御部２０２は、プロトコル解釈部とジョブ生成部から構成されている。入力デバイス制御部から送られてくる一連の操作要求は、コマンド（プロトコル）と呼ばれる命令信号で受信され、プロトコル解釈部でその操作要求の概要が解釈されて、ＭＦＰ内部で理解できる操作手順に変換される。一方、ジョブ生成部はプリントジョブ、スキャンジョブ、ＰＤＬ展開ジョブ、ファックス受信ジョブ等様々なジョブを生成する。生成されたジョブは、ＭＦＰ内部でどのような処理を施して、どこに送られるかといったそれぞれのシナリオが定義付けされて、そのシナリオに従ってＭＦＰ内部を流れることとなる。
【００３５】
出力ジョブ制御部２０３では、ジョブ解析部、バインダ解析部、ドキュメント解析部及び、ページ解析部において、ジョブの設定情報（俗に、ジョブチケットと呼ばれる）と画像情報が作成される。ジョブ解析部は、印刷する文書名や印刷部数、出力先の排紙トレイ指定、複数バインダで構成されるジョブのバインダ順などジョブ全体に関わる設定情報の詳細が解析される。バインダ解析部は、製本方式の設定やステープルの位置、複数ドキュメントで構成されるバインダのドキュメント順などバインダ全体に関わる設定情報の詳細が解析される。ドキュメント解析部は、複数ページで構成されるドキュメントのページ順、両面印刷の指定、表紙や合紙の付加などドキュメント全体に関わる設定情報の詳細が解析される。ページ解析部は、画像の解像度、画像の向き（ランドスケープ／ポートレイト）等の各種設定ページ全体に関する設定情報の詳細が解析されると共に、ＰＤＬデータが入力された場合にはＲＩＰ部を呼び出してラスタライズ処理を施す。なお、画像情報を生成するに当たっては、ＲＩＰ部を呼び出して、ラスタライズ処理にてページ画像情報が生成される。ページ画像情報は、圧縮伸張部１１０において圧縮された後、文書管理部１１１に設定情報と関連付けされて格納される。
【００３６】
出力デバイス管理部２０４は、デバイス割り当て部と出力デバイス制御部で構成されている。文書管理部１１１に保存された画像情報は圧縮伸張部１１０にて伸張され、関連付けられていた設定情報と一緒に読み出され、設定情報と画像情報は一対になって出力デバイス部に送られてくる。デバイス割り当て部は、定義付けされたそれぞれのジョブのシナリオに基づいて、出力デバイスを割り当てる際に、複数のジョブが同時に処理を進めるとデバイスの競合が発生するため、それを調停する役割を果たす。出力デバイス制御部は、プリンタ部１１３、後処理部１１４などどのデバイスを利用するかをスケジューリングする。
【００３７】
次に４Ｄカラー系ＭＦＰ（Ｍｕｌｔｉ  Ｆｕｎｃｔｉｏｎ  Ｐｅｒｉｐｈｅｒａｌ：マルチファンクション周辺機器）の構成について、図３のＭＦＰ（４Ｄカラー系）断面図を用いて説明する。
【００３８】
４Ｄカラー系ＭＦＰは、スキャナ部、レーザ露光部、感光ドラム、作像部、定着部、給紙／搬送部及び、これらを制御する不図示のプリンタ制御部から構成される。
【００３９】
スキャナ部は、原稿台に置かれた原稿に対して、照明を当てて原稿画像を光学的に読み取り、その像を電気信号に変換して画像データを作成する工程である。
【００４０】
レーザ露光部は、前記画像データに応じて変調されたレーザ光などの光線を等角速度で回転する回転多面鏡（ポリゴンミラー）に入射させ、反射走査光として感光ドラムに照射する。
【００４１】
作像部は、感光ドラムを回転駆動し、帯電器によって帯電させ、前記レーザ露光部によって感光ドラム上に形成された潜像をトナーによって現像し、そのトナー像をシートに転写し、その際に転写されずに感光ドラム上に残った微小トナーを回収するといった一連の電子写真プロセスの現像ユニット（現像ステーション）を４連持つことで実現している。シアン（Ｃ）、マゼンタ（Ｍ）、イエロー（Ｙ）、ブラック（Ｋ）の順に並べられた４連の現像ユニットは、シアンステーションの作像開始から所定時間経過後に、マゼンタ、イエロー、ブラックの作像動作を順次実行していく。このタイミング制御によって、シート上に色ずれのない、フルカラートナー像が転写される。
【００４２】
定着部は、ローラやベルトの組み合わせによって構成され、ハロゲンヒータなどの熱源を内蔵し、前記作像部によってトナー像が転写されたシート上のトナーを、熱と圧力によって溶解、定着させる。
【００４３】
給紙／搬送部は、シートカセットやペーパーデッキに代表されるシート収納庫を一つ以上持っており、前記プリンタ制御部の指示に応じてシート収納庫に収納された複数のシートの中から一枚分離し、作像部・定着部へ搬送する。シートは搬送され、前述の現像ステーションによって、各色のトナー像が転写され、最終的にフルカラートナー像がシート上に形成される。また、シートの両面に画像形成する場合は、定着部を通過したシートを再度作像部へ搬送する搬送経路を通るように制御する。
【００４４】
プリンタ制御部は、ＭＦＰ全体を制御するＭＦＰ制御部と通信して、その指示に応じて制御を実行すると共に、前述のスキャナ、レーザ露光、作像、定着、給紙／搬送の各部の状態を管理しながら、全体が調和を保って円滑に動作できるよう指示を行う。
【００４５】
定着部を通過したシートは、搬送経路上の画像読み取りセンサ部を通り、この画像読み取りセンサ部で印字された画像データが読み取られる。読み取られた画像データは、出力画像の濃度測定や出力画像に異常がないかどうかを確認する検品等に使用される。
【００４６】
次に、図４のＲＩＰ部のブロック図を用いて、ＲＩＰ部１０８の構成について説明する。
【００４７】
ＲＩＰ（Ｒａｓｔｅｒ  Ｉｍａｇｅ  Ｐｒｏｃｅｓｓｏｒ）とは、ＰＤＬ（Ｐａｇｅ Description  Ｌａｎｇｕａｇｅ）で記述された文字、線画、図形などのベクトル情報、あるいは、色、パターン、写真などの画像走査線情報などを同時にページ上に再現するために、それぞれのオブジェクト情報をメモリ上にビットマップ（ラスタイメージ）展開するプロセッサである。元来、ハードウェアとして出力装置側に搭載されていたが、現在では、ＣＰＵの高速化によりソフトウェアで実現されている。
【００４８】
ＲＩＰ部１０８は、一般に、インタプリタ部４０１とレンダリング部４０２の２つの部分から成り立っており、インタプリタ部は、ＰＤＬの翻訳を行うＰＤＬ解釈部と、解釈したＰＤＬデータからディスプレイリストと呼ばれる中間ファイルを生成するＤＬ（Ｄｉｓｐｌａｙ  Ｌｉｓｔ）生成部とで構成されている。一方、レンダリング部は、ディスプレイリストに対してカラーマッチングを行うＣＭＭ（Ｃｏｌｏｒ  Ｍａｔｃｈｉｎｇ  Ｍｏｄｕｌｅ）部と、ディスプレイリストをビットマップ（ラスタイメージ）に展開するＤＬ展開部とで構成されている。
【００４９】
ＰＤＬ解釈部は、入力されてきた様々な種類のＰＤＬデータを解析する部分であり、これらは、ページ単位の画像を作成するためのプリンタ制御コードで記載されており、単純な文字コードのほか、図形描画のコードや写真画像のコードなども含まれている。また、ＰＤＦ（Ｐｏｒｔａｂｌｅ  Ｄｏｃｕｍｅｎｔ  Ｆｏｒｍａｔ）というＡｄｏｂｅ社の開発した文書表示用ファイル形式も様々な業界で多用されており、ドライバを使用せず直接ＭＦＰに投げ込まれたこのフォーマットも対象としている。そのほか、ＰＰＭＬ（Ｐｅｒｓｏｎａｌｉｚｅｄ  Ｐｒｉｎｔ  Ｍａｒｋｕｐ  Ｌａｎｇｕａｇｅ）と呼ばれるＶＤＰ（Ｖａｒｉａｂｌｅ  Ｄａｔａ  Ｐｒｉｎｔ）向けフォーマット、ＪＰＥＧ（Ｊｏｉｎｔ  Ｐｈｏｔｏｇｒａｐｈｉｃ  Ｅｘｐｅｒｔｓ  Ｇｒｏｕｐ）やＴＩＦＦ（Ｔａｇｇｅｄ  Ｉｍａｇｅ  Ｆｉｌｅ  Ｆｏｒｍａｔ）と呼ばれるカラー画像の圧縮フォーマットなどにも対応している。
【００５０】
また、ＣＭＭ部では、グレースケール、ＲＧＢ、ＣＭＹＫなど様々な画像データの入力が可能であり、その他の色空間の場合には、一度ＣＲＤ（Ｃｏｌｏｒ  Ｒｅｎｄｅｒｉｎｇ  Ｄｉｃｔｉｏｎａｒｙ）にてＣＭＹＫ空間に変換された後、カラーマッチングが施される。ＣＭＭ部において、ＩＣＣプロファイルによる色調整が行われる。ＩＣＣプロファイルは、ソースプロファイルとプリンタプロファイルとがあり、ソースプロファイルは、ＲＧＢ（またはＣＭＹＫ）データを一度規格化されたＬ＊ａ＊ｂ＊空間に変換し、このＬ＊ａ＊ｂ＊データを再度ターゲットとなるプリンタに適したＣＭＹＫ空間に変換する。このとき、ソースプロファイルは、ＲＧＢプロファイルとＣＭＹＫプロファイルからなっており、入力画像がＲＧＢ系画像（ＪＰＥＧ、ＴＩＦＦ画像等）の場合は、ＲＧＢプロファイルが選択され、ＣＭＹＫ系画像の場合にはＣＭＹＫプロファイルが選択される。次に、プリンタプロファイルは、各プリンタの色特性に合わせて作られており、ＲＧＢ系画像の場合は、Ｐｅｒｃｅｐｔｕａｌ（色味優先）やＳａｔｕｒａｔｉｏｎ（鮮やかさ優先）を選択するのが好ましく、ＣＭＹＫ系画像の場合は、Ｃｏｌｏｒｉｍｅｔｒｉｃ（色差最小）を選んで最適画像を出力することが多い。また、ＩＣＣプロファイルは、一般にルックアップテーブル形式で作られており、ソースプロファイルでは、ＲＧＢ（またはＣＭＹＫ）データが入力されると、一意にＬ＊ａ＊ｂ＊データに変換され、逆にプリンタプロファイルでは、Ｌ＊ａ＊ｂ＊データからプリンタにマッチしたＣＭＹＫデータに変換される。なお、カラーマッチングを必要としないＲＧＢデータは、デフォルトの色変換によりＣＭＹＫデータに変換されて出力され、カラーマッチングを必要としないＣＭＹＫデータに対しては、そのまま出力される。
【００５１】
このＲＩＰ部１０８で展開された画像データは、圧縮伸張部１１０を介して文書管理部１１１に保持される。
【００５２】
次に図５の出力画像処理部（カラー系）のブロック図を用いて出力画像処理部１０９について説明する。
【００５３】
出力画像処理部１０９（カラー系）に入力される画像データは、大きく分けて複写動作など入力画像処理部１０１からの出力データを扱うＲＧＢ系データと、ネットワークプリント動作などＲＩＰ部１０８からの出力データを扱うＣＭＹＫ系データとに分かれている。
【００５４】
前者の場合、下地除去部に入力され、後者の場合は、出力ガンマ補正部に入力される。
【００５５】
まず、下地除去部では、スキャナで読み取ったＲＧＢ画像データに対して、ＢＥサンプリンタ部１１３の結果に基づいて、下地部を除去するための非線形変換を行う。
【００５６】
次に出力ダイレクトマッピング部において、ＲＧＢ画像データからＣＭＹＫ画像データに変換される。変換においては、ＲＧＢそれぞれの値をルックアップテーブルに入力し、その出力値の総和からＣ（Ｃｙａｎ）成分を作る。同様に、Ｍ（Ｍａｇｅｎｔａ）、Ｙ（Ｙｅｌｌｏｗ）、Ｋ（ｂｌａｃＫ）それぞれの成分もルックアップテーブルとその加算演算で形成している。このとき、入力画像処理部１０１にて検出された像域データに基づいて、３次元のルックアップテーブルが利用されており、文字領域と写真領域ではそれぞれ異なる種類のルックアップテーブルが適用されている。
【００５７】
出力ガンマ補正部では、プリンタに対応した出力画像の濃度補正を行っている。ＣＭＹＫそれぞれ一次元のルックアップテーブルを利用して、画像形成ごと異なる出力画像データのリニアリティを保つ役割を果たしており、一般的にカラーキャリブレーションの結果は、このルックアップテーブルに反映される。
【００５８】
ハーフトーン処理部は、ＭＦＰ機能に応じて、異なる種類のスクリーニングを択一的に適用することができる。一般に、複写動作などでは、モアレの起きにくい誤差拡散系のスクリーニングを利用し、プリント動作では、文字や細線の再現性を考えてディザマトリクスなどを利用した多値スクリーン系のスクリーニングを用いることが多い。前者は、注目画素とその周辺画素に対して誤差フィルタで重み付けし、階調数を保ちながら多値化の誤差を配分して補正していく方法である。一方、後者は、ディザマトリックスの閾値を多値に設定し、擬似的に中間調を表現する方法で、ＣＭＹＫ独立に変換し、入力画像データによって低線数と高線数とを切り替えて再現する。
【００５９】
更に、スムージング処理部では、ＣＭＹＫそれぞれに対し、エッジ部分をパターンマッチングにより検出し、より滑らかに再現されるパターンに変換することでジャギーを軽減する方法である。
【００６０】
次に図６の後処理系断面図は、インラインフィニッシャ部の構成を示す断面図である。
【００６１】
プリンタ部１１３の定着部から排出されたシートは、インラインフィニッシャが接続されている場合には、インラインフィニッシャ部に入る。インラインフィニッシャ部には、サンプルトレイ及びスタックトレイがあり、ジョブの種類や排出されるシートの枚数に応じて切り替えて排出される。
【００６２】
ソート方式には２通りあり、複数のビンを有して各ビンに振り分けるビンソート方式と、電子ソート機能とビン（または、トレイ）を奥手前方向にシフトしてジョブ毎に出力シートを振り分けるシフトソート方式によるソーティングを行うことができる。電子ソート機能は、コレートと呼ばれ、コア部に大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００６３】
さらに、出力すべきジョブに対してステープルモードが設定されている場合には、スタックトレイに排出するよう制御するが、その際には、シートがスタックトレイに排出される前に、シートをジョブ毎にフィニッシャ内部の処理トレイに順次蓄えておき、該処理トレイ上にてステープラにてバインドして、その上で、スタックトレイへ、該記録紙束を束排出する。
【００６４】
その他、上記２つのトレイに至るまでに、紙をＺ字状に折るためのＺ折り機、ファイル用の２つ（または３つ）の穴開けを行うパンチャがあり、ジョブの種類に応じてそれぞれの処理を行う。例えば、出力すべきジョブに対するシート処理に関する設定としてユーザにより操作部を介してＺ折り処理設定がなされた場合には、そのジョブの記録紙に対してＺ折り機により折り処理を実行させ、その上で、機内を通過させて、スタックトレイ及びサンプルトレイ等の排出トレイに排紙するよう制御する。又、例えば、出力すべきジョブに対するシート処理に関する設定としてユーザにより操作部を介してパンチ処理設定がなされた場合には、そのジョブの記録紙に対してパンチャによるパンチ処理を実行させ、その上で、機内を通過させて、スタックトレイ及びサンプルトレイ等の排出トレイに排紙するよう制御する。
【００６５】
さらに、サドルステッチャは、シートの中央部分を２ヶ所バインドした後に、シートの中央部分をローラに噛ませることによりシートを半折りし、パンフレットのようなブックレットを作成する処理（製本処理）を行う。サドルステッチャで製本されたシートは、ブックレットトレイに排出される。当該サドルステッチによる製本処理等のシート処理動作の実行可否も、上述の如く、出力すべきジョブに対してユーザにより設定されたシート処理設定に基づく。
【００６６】
また、インサータはインサートトレイにセットされたシートをプリンタへ通さずにスタックトレイ及びサンプルトレイ等の排出トレイのいずれかに送るためのものである。これによってインラインフィニッシャ部に送り込まれるシート（プリンタ部で印刷されたシート）とシートの間にインサータにセットされたシートをインサート（中差し）することができる。インサータのインサートトレイにはユーザによりフェイスアップの状態でセットされるものとし、ピックアップローラにより最上部のシートから順に給送する。
【００６７】
従って、インサータからのシートはそのままスタックトレイまたはサンプルトレイへ搬送することによりフェイスダウン状態で排出される。サドルステッチャへ送るときには、一度パンチャ側へ送り込んだ後スイッチバックさせて送り込むことによりフェースの向きを合わせる。尚、当該インサータによるシート挿入処理等のシート処理動作の実行可否も、上述の如く、出力すべきジョブに対してユーザにより設定されたシート処理設定に基づく。
【００６８】
次に、トリマ（裁断機）について説明する。
【００６９】
サドルステッチャにおいてブックレット（中綴じの小冊子）にされた出力は、このトリマに入ってくる。その際に、まず、ブックレットの出力は、ローラで予め決められた長さ分だけ紙送りされ、カッタ部にて予め決められた長さだけ切断され、ブックレット内の複数ページ間でばらばらになっていた端部がきれいに揃えられることとなる。そして、ブックレットホールド部に格納される。尚、当該トリマによる断裁処理等のシート処理動作の実行可否も、上述の如く、出力すべきジョブに対してユーザにより設定されたシート処理設定に基づく。
【００７０】
次に、図７を用いて、後処理工程で裁断が指定されているプリントジョブの出力画像チェック（検品）を行う場合の処理に関して説明する。
【００７１】
図７(a)は、記録媒体に印刷された状態を図示したものである。出力された用紙７０１には用紙一面に画像データが印字されている。後処理工程で断裁処理を行うためのトリムマーク７０２が用紙の四隅に印字されており、断裁機で、このマークの位置に合わせて用紙の端が断裁されることになる。つまり図中の点線７０３に沿って断裁されることになる。結果として、断裁後の出力物は図７(b)に示してある画像７０４のようになる。
【００７２】
次に出力画像データを検品する際の処理に関して説明する。出力画像データは、ＭＦＰのプリンタ部１１３の画像読み取り部によって読み取られ、ＭＦＰ制御部１０６へ送られる。ＭＦＰ制御部１０６では、プリンタ部から送られてきた画像データと、文書管理部１１１に保持されているＲＩＰ部１０８で展開された画像データとの比較処理を行う。このとき、比較処理を行う際には、精度を重視するか、処理速度を重視するかによって一画素単位で全ての画素の比較を行ってもよいし（精度重視モード）、数画素おきに画素の比較を行ってもよい（処理速度重視モード）。また、どちらのモードを使用するかは、予めユーザがＭＦＰの操作部１０７から設定可能であってもよいし、プリントジョブを実行する際に指定可能なようにしてもよい。
【００７３】
図７で説明したように、後処理工程で断裁が行われるジョブの場合、印刷される画像データは図７(a)に図示されているものとなるが、実際に断裁処理が行われ、最終的な成果物として顧客に納品するものは図７(b)に図示されたものとなる。このとき、図８ｍｐ８０１示してあるように、出力された用紙上の画像位置がズレていたとする。この状態で後処理工程の断裁処理を行った場合、図７(b)の最終成果物と図８(b)とを比較して分かるように画像が左にズレたものとなってしまう。このような機械的は用紙の搬送位置精度のばらつきによって、ページ毎に出力される用紙上の画像印字位置にはズレが生じてしまう。この画像印字位置を出力されたページ毎に全てのページに対して読み取り、その印刷ジョブにおけるズレ量の平均値を下記のようにして求める。下記の式において、ΔＸは主走査方向のズレ量の平均値、ΔＹは副走査方向のズレ量の平均値、Ｘｎはｎページ目の主走査方向のズレ量、Ｙｎはｎページ目の副走査方向のズレ量、ｍは印刷ジョブの総ページ数を表している。
【００７４】
ΔＸ ＝ （Ｘ１＋Ｘ２＋・・・・・＋Ｘｍ）／ｍ
ΔＹ ＝ （Ｙ１＋Ｙ２＋・・・・・＋Ｙｍ）／ｍ
この、比較対象となる画像データ領域は、印刷ジョブに設定されている後処理工程の設定をもとにＭＦＰ制御部１０６で判断してもよいし、画像読み取りセンサで読み取った画像データの断裁の目印（トリムマーク７０２）から自動的に比較対象とする画像領域を検出してもよい。
【００７５】
ここで図９の操作部の模式図を用いて操作部について説明する。
【００７６】
同図はＭＦＰの操作部を表しており、キー入力部とタッチパネル部から成っている。それぞれの詳細を示したものが、図１０のキー入力部の模式図及び、図１１のタッチパネル部の模式図であり、以下にそれぞれの詳細を説明する。
【００７７】
まず、キー入力部の模式図は、定常的な操作設定を行うことができるキー入力部分である。
【００７８】
操作部電源スイッチは、スタンバイモード（通常動作状態）とスリープモード（メインコントローラは、ネットワークプリントやファクシミリなどに備えて割り込み待ち状態でプログラムを停止して、消費電力を抑えている状態）を切り替えるものであり、システム全体の電源供給を行う主電源スイッチがＯＮ状態で制御することができる。
【００７９】
節電キーは、スタンバイモード時の定着器の制御温度を下げて、プリント可能な状態まで時間は要するが、消費電力を抑えることができるキーである。節電率の設定により制御温度を下げることもできる。
【００８０】
スタートキーは、コピーや送信などの開始を指示するキーであり、ストップキーは、それを中断するキーである。
【００８１】
テンキーは、各種設定の置数を行うためのキーであり、クリアキーは、その置数を解除するためのキーである。ＩＤキーは、ＭＦＰの操作者を認証するために、予め設定された暗証番号を入力させるためのキーである。
【００８２】
リセットキーは、各種設定を無効にし、デフォルト状態に戻すためのキーである。ヘルプキーは、ガイダンスやヘルプを表示させるためのキーであり、ユーザモードキーは、ユーザごとのシステム設定画面に移行するためのキーである。
【００８３】
カウンタ確認キーは、ＭＦＰ内に設けてあるプリント枚数などをカウントするソフトカウンタに記憶されている出力済み枚数を表示させるためのキーである。コピー／プリント／スキャン／ファックスなどの動作モード、カラー／白黒といった色モード、ラージ／スモールといった紙サイズなどに応じて、それぞれの出力済み枚数を表示させることができる。
【００８４】
画像コントラストダイヤルは、タッチパネル部の液晶表示のバックライトを調光するなどして、画面の見易さを調整するためのダイヤルである。
【００８５】
実行／メモリランプは、ジョブの実行中やメモリへのアクセス中に点滅して知らせるランプであり、エラーランプは、ジョブの実行ができない場合やサービスマンコールなどのエラー、あるいは、ジャムや消耗品切れなどを知らせるオペレータコールなどの際に点滅して知らせるランプである。
【００８６】
次に、タッチパネル部の模式図は、ＬＣＤ（Ｌｉｑｕｉｄ  Ｃｒｙｓｔａｌ  Ｄｉｓｐｌａｙ：液晶表示部）とその上に貼られた透明電極からなるタッチパネルディスプレイを表した模式図であり、ＬＣＤに表示されるキー相当の部分の透明電極を指で触れると、それを検知して別の操作画面を表示するなど予めプログラムされている。同図は、スタンバイモード時の初期画面であり、設定操作に応じて様々な操作画面を表示することができる。
【００８７】
コピータブは、コピー動作の操作画面に遷移するためのタブキーであり、送信タブは、ファックスやＥ−ｍａｉｌ送信など送信（Ｓｅｎｄ）動作を指示する操作画面に遷移するためのタブキーであり、ボックスタブは、ボックス（ユーザごとにジョブを格納する記憶手段）にジョブを入出力操作するための画面に遷移するためのタブキーであり、オプションタブは、スキャナ設定など拡張機能を設定するためのタブキーであり、システムモニタキーは、ＭＦＰの状態や状況を表示するためのキーであり、各タブを選択することで、それぞれの操作モードに遷移することができる。
【００８８】
色選択設定キーは、カラーコピー、白黒コピー、あるいは自動選択かを予め選択するためのキーであり、倍率設定キーは、等倍、拡大、縮小などの倍率設定を行う画面に遷移するキー、後処理設定キーはステープルやパンチなどの有無、個数、位置などを設定する画面に遷移するキー、両面設定キーは、片面印刷か両面印刷かを選択する画面に遷移するキー、紙サイズ設定キーは、給紙段や紙サイズ、メディアタイプを選択する画面に遷移するキー、画像モード設定キーは、文字モードや写真モードなど原稿画像に適した画像モードを選択するためのキー、濃度設定キーは、出力画像を濃くしたり薄くしたり調整するためのキーである。
【００８９】
次に、ステータス表示部は、スタンバイ状態、ウォームアップ中、ジャム、エラー等の簡易的な状態表示を行う表示部であり、倍率表示部は、倍率設定キーで設定された倍率を表示し、紙サイズ表示部は、紙サイズ設定キーで設定された紙サイズやモードを表示し、枚数表示部は、テンキーで指定された枚数を表示したり、動作中に何枚目を印刷中かを表示したりする。
【００９０】
更に、割り込みキーは、コピー動作中に別のジョブを割り込ませる場合に利用し、応用モードキーは、ページ連写、表紙・合紙設定、縮小レイアウト、画像移動など様々な画像処理やレイアウトなどの設定を行う画面に遷移するためのキーである。
【００９１】
前述のΔＸ、ΔＹが計測された後、予め設定されている規定量をΔＸ、ΔＹが超えている場合には、操作部１０７のオプションタブに、図１２に示すような警告の画面を表示する。ユーザが「続行する」ボタンを選択した場合には印刷を続行し、「中止する」ボタンを選択した場合は、その時点で印刷を停止する。
【００９２】
図１３は、断裁処理が後処理工程として設定されている印刷ジョブの処理の流れを表したフローチャートである。
【００９３】
まず、印刷が開始され、排紙のところにある画像読み取りセンサで印字された画像が読み取られる（Ｓ１３０１）。読み取られた画像データは、ＭＦＰ制御部１０６へ送信され、ＭＦＰ制御部１０６は画像印字位置の測定を行う（Ｓ１３０２）。ＭＦＰ制御部１０６は、画像印字位置のズレが予め設定されている最大値よりも大きいかどうかをチェックする（Ｓ１３０３）。規定の最大値よりも大きい場合は、操作部１０７に図１２に示した警告画面を表示する（Ｓ１３０４）。印刷の続行が選択された場合には（Ｓ１３０５）、ＭＦＰ制御部１０６は印刷ジョブの全ページの印刷が完了したかどうかをチェックし（Ｓ１３０６）
全ページ印刷済みでない場合は次ページの印刷を実行しＳ１３０１〜Ｓ１３０６の処理を全ページの印刷が完了するまで繰り返す。警告画面で印刷の中止が選択された場合は（Ｓ１３０５）、その時点で印刷を中止する。全ページの印刷が完了したら、ＭＦＰ制御部１０６は画像印字位置のズレ量の全ページの平均値を計算し（Ｓ１３０７）、平均値が規定値を超えていないかどうかをチェックする（Ｓ１３０８）。算出された平均値が規定値を超えている場合は、操作部１０７に図１４に示した警告画面を表示する（Ｓ１３０９）。後処理工程の続行が選択された場合は（Ｓ１３１０、算出されたズレ量の平均値をもとに断裁用設定値を調整し（Ｓ１３１１）、調整したパラメータを断裁機に設定する（Ｓ１３１２）。一方、後処置工程の中止が選択された場合は（Ｓ１３１０）、その時点で印刷ジョブの処理を中止する。断裁機に断裁用のパラメータが設定されたら、断裁機に印刷済みの用紙をセットし、断裁を実行する（Ｓ１３１３）。
【００９４】
以上述べたように、印刷ジョブに断裁処理等の後処理工程が設定されている場合で、印刷装置の用紙搬送の機械的な精度の誤差により、記録媒体上の印字位置がずれてしまう場合に、ズレ量を検出し、ページ毎のズレ量が予め規定した最大値を超えた場合、また、全ページのズレ量の平均値が規定値を超えた場合に警告のメッセージを出すことによって、印刷を中断することが可能となる。さらには、全ページのズレ量の平均値を算出し、予め印刷ジョブに設定されている断裁用の設定値をその算出結果を用いて調整することによって、最終的な成果物ができる限り理想的な出力物に近いものとすることが可能となる。
【００９５】
また、本発明の目的は、上記実施の形態の機能を実現するソフトウェアのプログラムコードを記録した記憶媒体（又は記録媒体）を、システム又は装置に供給し、そのシステム或いは装置のコンピュータ（又はＣＰＵやＭＰＵ）が記憶媒体に格納されたプログラムコードを読み出し実行することによっても、達成されることは言うまでもない。
【００９６】
この場合、記憶媒体から読み出されたプログラムコード自体が前述した実施形態の機能を実現することになり、そのプログラムコードを記憶した記憶媒体は本発明を構成することになる。
【００９７】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【００９８】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００９９】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【０１００】
プログラムを供給する記録媒体としては、例えば、ＲＡＭ、ＮＶ−ＲＡＭ、フレキシブル（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【０１０１】
【図１】ＭＦＰの詳細ブロック図。
【図２】ＭＦＰ制御部のブロック図。
【図３】ＭＦＰ（４Ｄカラー系）断面図。
【図４】ＲＩＰ部のブロック図。
【図５】出力画像処理部（カラー系）のブロック図。
【図６】後処理系断面図。
【図７】断裁処理が設定されているジョブの出力画像。
【図８】用紙上の印字位置にズレがある場合の出力画像。
【図９】操作部の模式図。
【図１０】キー入力部の模式図。
【図１１】タッチパネル部の模式図。
【図１２】ズレ量が最大値を超えた場合の警告画面。
【図１３】断裁処理が設定されているジョブを印刷した場合の処理の流れを表したフローチャート。
【図１４】ズレ量の平均値が規定値を超えた場合の警告画面。
【符号の説明】
【０１０２】
１０１  入力画像処理部
１０２  ＦＡＸ部
１０３  ＮＩＣ部
１０４  専用Ｉ／Ｆ部
１０５  ＵＳＢ  Ｉ／Ｆ部
１０６  ＭＦＰ制御部
１０７  操作部
１０８  ＲＩＰ部
１０９  出力画像処理部
１１０  圧縮伸張部
１１１  文書管理部
１１２  リソース管理部
１１３  プリンタ部
１１４  後処理部
２００  画像処理装置
２０１  入力デバイス管理部
２０２  入力ジョブ制御部
２０３  出力ジョブ制御部
２０４  出力デバイス管理部
４０１  インタプリタ部
４０２  レンダリング部
【図１】
2008052115.tif 000003
【図２】
2008052115.tif 000004
【図３】
2008052115.tif 000005
【図４】
2008052115.tif 000006
【図５】
2008052115.tif 000007
【図６】
2008052115.tif 000008
【図７】
2008052115.tif 000009
【図８】
2008052115.tif 000010
【図９】
2008052115.tif 000011
【図１０】
2008052115.tif 000012
【図１１】
2008052115.tif 000013
【図１２】
2008052115.tif 000014
【図１３】
2008052115.tif 000015
【図１４】
2008052115.tif 000016